(57)【要約】【課題】本考案は、人から見えにくい状態で干し物を干すことができる物干し器を提供することを目的とする。【解決手段】物干し器１は、干し物が干される第１物干し部３と、第１物干し部３を囲んで配置され、干し物が引っ掛けられた状態で干される第２物干し部５と、第２物干し部５が接続され、第１物干し部３を囲んで枠状に形成された枠体２と、第１物干し部３に配置され、枠体２を２つ折りに折り畳んだ折り畳み状態と枠体２を開いた開状態とを可逆的に変更可能に支持する支持部７とを有している。【選択図】図１
0003194874.tif 000002
【実用新案登録請求の範囲】
【請求項１】
干し物が干される第１物干し部と、
前記第１物干し部を囲んで配置され、干し物が引っ掛けられた状態で干される第２物干し部と
を有することを特徴とする物干し器。
【請求項２】
前記第２物干し部は、直線形状に形成された棒状部を少なくとも一部に有しており、
前記棒状部の上方に設けられ、干し物を干す物干し場所に前記第１及び第２物干し部を保持する第１保持部を有すること
を特徴とする請求項１記載の物干し器。
【請求項３】
前記第１及び第２物干し部を物干し部材に保持する複数の第２保持部を有すること
を特徴とする請求項１又は２に記載の物干し器。
【請求項４】
前記第２保持部とは反対側に設けられ、前記第１及び第２物干し部を収納場所に保持する第３保持部を有すること
を特徴とする請求項３記載の物干し器。
【請求項５】
前記第２物干し部が接続され、前記第１物干し部を囲んで枠状に形成された枠体を有すること
を特徴とする請求項１から４までのいずれか一項に記載の物干し器。
【請求項６】
前記第１物干し部に配置され、前記枠体を２つ折りに折り畳んだ折り畳み状態と、前記枠体を開いた開状態とを可逆的に変更可能に支持する支持部を有すること
を特徴とする請求項５記載の物干し器。
【請求項７】
前記支持部は、前記枠体を折り畳む折り畳み部の一方の上方に配置された軸部を有し、
前記第１保持部は、前記支持部側に倒した状態と前記折り畳み部上に立ち上げた状態とを可逆的に変更可能に前記軸部を回転軸として前記支持部に取り付けられていること
を特徴とする請求項６記載の物干し器。
【請求項８】
前記第１保持部は、
一端部に形成された、前記物干し場所に引っ掛ける鉤爪部と、
他端部に形成された、前記軸部を回転軸として回転可能な回転可能領域と、前記軸部を回転軸として回転できない回転不可能領域とを備えて前記軸部に巻き回された巻き回し部と
を有すること
を特徴とする請求項７記載の物干し器。
【請求項９】
前記複数の第２保持部は、一直線上に配置されていること
を特徴とする請求項３又は４に記載の物干し器。
【請求項１０】
干し物が干される第１物干し部と、
前記第１物干し部を囲んで配置され、干し物が引っ掛けられた状態で干される第２物干し部と、
２つ折りに折り畳んだ折り畳み状態と開いた開状態とを可逆的に変更可能に形成され、前記第２物干し部が接続されて前記第１物干し部を囲んで枠状に形成された枠体と、
前記第１物干し部に配置され、前記折り畳み状態と前記開状態とを可逆的に変更可能に前記枠体を支持する支持部と、
前記支持部に形成されて前記折り畳み部の一方の上方に配置された軸部と、
前記支持部側に倒した状態と前記折り畳み部上に立ち上げた状態とを可逆的に変更可能に前記軸部を回転軸として前記支持部に取り付けられ、干し物を干す物干し場所に前記第１及び第２物干し部を保持する第１保持部と、
前記支持部のほぼ中央に回転自在に設けられ、前記第１及び第２物干し部を物干し部材に保持する主保持部と、
前記枠体上に倒した状態と立ち上げた状態とを可逆的に変更可能に前記枠体に取り付けられ、前記第１及び第２物干し部の保持状態を補助する保持補助部と、
前記枠体を挟んで前記主保持部とは反対側に向かって突出して形成され、前記折り畳み状態の前記枠体を収納場所に保持する第３保持部と
を有することを特徴とする物干し器。
【考案の詳細な説明】
【技術分野】
【０００１】
本考案は、干し物を干す物干し器に関する。
【背景技術】
【０００２】
洗濯物などの干し物を干す物干し器として、ピンチ部材を有する物干し器が知られている（特許文献１から３）。この種の物干し器は、枠状に形成された枠体と、この枠体の内側空間に張り渡された部材と、この枠体及びこの部材に取り付けられたピンチ部材とを有している。ピンチ部材は、洗濯ばさみと類似の構成を有しており、ピンチ部材に設けられたばね部材の弾性力を利用して干し物を挟持するようになっている。これにより、ピンチ部材を有する物干し器は、ピンチ部材で挟持した干し物を吊下げた状態で乾燥させることができる。
【０００３】
物干し器のピンチ部材に用いられるばね部材は、物干し器の使用者がピンチ部材を押し広げて干し物を挟持させることができる程度の弾性力を有している。このため、ピンチ部材に吊下げることが可能な干し物の重量には制限が生じ、ピンチ部材を有する物干し器は、靴下や下着などの小物の乾燥に用いられる。ピンチ部材を有する物干し器は、靴下や下着などの小物を一纏めにして乾燥させることができる。
【先行技術文献】
【特許文献】
【０００４】
【特許文献１】特開２００７−１８１６６４号公報
【特許文献２】特許第５０５０００８号公報
【特許文献３】特許第４７６８４５３号公報
【考案の概要】
【考案が解決しようとする課題】
【０００５】
ピンチ部材を有する物干し器は、下着などの人に見せたくない干し物が見えやすいという問題を有している。
【０００６】
本考案の目的は、人から見えにくい状態で干し物を干すことができる物干し器を提供することにある。
【課題を解決するための手段】
【０００７】
本考案の一態様による物干し器は、干し物が干される第１物干し部と、前記第１物干し部を囲んで配置され、干し物が引っ掛けられた状態で干される第２物干し部とを有することを特徴とする。
【０００８】
前記第２物干し部は、直線形状に形成された棒状部を少なくとも一部に有していてもよく、上記一態様による物干し器は、前記棒状部の上方に設けられ、干し物を干す物干し場所に前記第１及び第２物干し部を保持する第１保持部を有していてもよい。
【０００９】
上記一態様による物干し器は、前記第１及び第２物干し部を物干し部材に保持する複数の第２保持部を有していてもよい。
【００１０】
上記一態様による物干し器は、前記第２保持部とは反対側に設けられ、前記第１及び第２物干し部を収納場所に保持する第３保持部を有していてもよい。
【００１１】
上記一態様による物干し器は、前記第２物干し部が接続され、前記第１物干し部を囲んで枠状に形成された枠体を有していてもよい。
【００１２】
上記一態様による物干し器は、前記第１物干し部に配置され、前記枠体を２つ折りに折り畳んだ折り畳み状態と、前記枠体を開いた開状態とを可逆的に変更可能に支持する支持部を有していてもよい。
【００１３】
前記支持部は、前記枠体を折り畳む折り畳み部の一方の上方に配置された軸部を有し、前記第１保持部は、前記支持部側に倒した状態と前記折り畳み部上に立ち上げた状態とを可逆的に変更可能に前記軸部を回転軸として前記支持部に取り付けられていてもよい。
【００１４】
前記第１保持部は、一端部に形成された、前記物干し場所に引っ掛ける鉤爪部と、他端部に形成された、前記軸部を回転軸として回転可能な回転可能領域と、前記軸部を回転軸として回転できない回転不可能領域とを備えて前記軸部に巻き回された巻き回し部とを有していてもよい。
【００１５】
前記複数の第２保持部は、一直線上に配置されていてもよい。
【００１６】
本考案の他の態様による物干し器は、干し物が干される第１物干し部と、前記第１物干し部を囲んで配置され、干し物が引っ掛けられた状態で干される第２物干し部と、２つ折りに折り畳んだ折り畳み状態と開いた開状態とを可逆的に変更可能に形成され、前記第２物干し部が接続されて前記第１物干し部を囲んで枠状に形成された枠体と、前記第１物干し部に配置され、前記折り畳み状態と前記開状態とを可逆的に変更可能に前記枠体を支持する支持部と、前記支持部に形成されて前記折り畳み部の一方の上方に配置された軸部と、前記支持部側に倒した状態と前記折り畳み部上に立ち上げた状態とを可逆的に変更可能に前記軸部を回転軸として前記支持部に取り付けられ、干し物を干す物干し場所に前記第１及び第２物干し部を保持する第１保持部と、前記支持部のほぼ中央に回転自在に設けられ、前記第１及び第２物干し部を物干し部材に保持する主保持部と、前記枠体上に倒した状態と立ち上げた状態とを可逆的に変更可能に前記枠体に取り付けられ、前記第１及び第２物干し部の保持状態を補助する保持補助部と、前記枠体を挟んで前記主保持部とは反対側に向かって突出して形成され、前記折り畳み状態の前記枠体を収納場所に保持する第３保持部とを有することを特徴とする。
【考案の効果】
【００１７】
本考案によれば、人から見えにくい状態で干し物を干すことができる。
【図面の簡単な説明】
【００１８】
【図１】本考案の一実施形態による物干し器１の開状態を示す外観斜視図である。
【図２】本考案の一実施形態による物干し器１の折り畳み状態を示す外観斜視図である。
【図３】本考案の一実施形態による物干し器１の開状態の正投影図（その１）である。
【図４】本考案の一実施形態による物干し器１の開状態の正投影図（その２）である。
【図５】本考案の一実施形態による物干し器１の折り畳み状態の正投影図である。
【図６】本考案の一実施形態による物干し器１の開状態におけるドア掛け部４の近傍の拡大図である。
【図７】本考案の一実施形態による物干し器１の折り畳み状態におけるドア掛け部４の近傍の拡大図である。
【考案を実施するための形態】
【００１９】
本考案の一実施形態による物干し器について図１から図７を用いて説明する。図１は、本実施形態による物干し器１の枠体２を開いた開状態の外観斜視図である。図２は、物干し器１の枠体２を折り畳んだ折り畳み状態の外観斜視図である。図１及び図２では、理解を容易にするため、本来取り付けられているピンチ部材（詳細は後述）を取り除いた状態の物干し器１が図示されている。
【００２０】
図１及び図２に示すように、本実施形態による物干し器１は、枠状に形成された枠体２を有している。物干し器１は、図１に示すように枠体２を開いた開状態と、図２に示すように枠体２を折り畳んだ折り畳み状態とを可逆的に変更可能に構成されている。物干し器１は、枠体２を開いた開状態で使用される。すなわち、物干し器１は、枠体２が開状態にあるときに使用状態となる。一方、物干し器１は、折り畳み状態となると枠体２に接続された第２物干し部５ａ−１（詳細は後述）から第２物干し部５ｂ−１（詳細は後述）までの長さ、すなわち物干し器１の幅が短くなる。このため、物干し器１は、折り畳み状態となると狭い空間や室内の隅などの収納場所にコンパクトに収納できる収納状態となる。以下、物干し器１の構成について具体的に説明する。
【００２１】
図３及び図４は、物干し器１の開状態の正投影図である。図３（ａ）及び図４（ａ）は、物干し器１の平面図であり、図３（ｂ）及び図４（ｂ）は、物干し器１の正面図であり、図３（ｃ）及び図４（ｃ）は、物干し器１の右側面図である。図５は、物干し器１の折り畳み状態の正投影図である。図５（ａ）は、物干し器１の平面図であり、図５（ｂ）は、物干し器１の正面図であり、図５（ｃ）は、物干し器１の右側面図である。図３及び図５では、本来取り付けられているピンチ部材を取り除いた状態の物干し器１が図示され、図４では、ピンチ部材３３が取り付けられた状態の物干し器１が図示されている。
【００２２】
図１に示すように、物干し器１は、干し物（不図示）が干される第１物干し部３と、第１物干し部３を囲んで配置され、干し物が引っ掛けられた状態で干される第２物干し部５とを有している。物干し器１は、第２物干し部５が接続され、第１物干し部３を囲んで枠状に形成された枠体２と、第１物干し部３に配置され、枠体２を２つ折りに折り畳んだ折り畳み状態と、枠体２を開いた開状態とを可逆的に変更可能に支持する支持部７を有している。
【００２３】
枠体２は、支持部７を挟んで一方の側の領域と他方の側の領域に分けられている。以下、一方の側の領域の枠体を「枠体２ａ」と称し、他方の側の領域の枠体を「枠体２ｂ」と称し、枠体２ａ及び枠体２ｂを区別することなく説明する場合には「枠体２」と総称する。枠体２ａ及び枠体２ｂは、細長い円柱形状の部材を所定の形状に折り曲げて形成されている。枠体２ａ及び枠体２ｂは、一端辺側の全てを開放した矩形状をそれぞれ有している。この円柱形状の部材は、例えばステンレスで形成されている。枠体２ａは、対向する２辺の端部を当該２辺の他の領域よりも若干近付けるとともに、両端部が巻き回されて形成されている。同様に、枠体２ｂは、対向する２辺の端部を当該２辺の他の領域よりも若干近付けるとともに、両端部が巻き回されて形成されている。枠体２ｂの両端部間の長さは、枠体２ａの両端部間の長さよりも枠体２ａを構成する円柱形状の部材の太さ分だけ短くなっている。これにより、枠体２ａ，２ｂは、互いに向き合わせて支持部７に取り付けられたときに枠体２ｂの両端部が枠体２ａの内側に配置される。詳細は後述するが、枠体２は支持部７に回転可能に取り付けられている。これにより、枠体２は、開状態になると長方形状の閉空間を形成する。この閉空間が第１物干し部３となる。枠体２は、開状態では長方形状を有している。第１物干し部３は、支持部７を挟んで枠体２ａ側の領域と枠体２ｂ側の領域に分けられている。以下、枠体２ａ側の領域の第１物干し部を「第１物干し部３ａ」と称し、枠体２ｂ側の領域の第１物干し部を「第１物干し部３ｂ」と称し、第１物干し部３ａ及び第１物干し部３ｂを区別することなく説明する場合には「第１物干し部３」と総称する。
【００２４】
第１物干し部３ａは、枠体２ａに形成された複数（本例では４本）の支柱３１ａ及びピンチ取付部３２ａを有している。支柱３１ａは、枠体２ａの対向する２辺間に張り渡して形成されている。支柱３１ａは、枠体２ａよりも幅が若干短い円柱形状の部材で形成され、細長い直線形状を有している。この円柱形状の部材は、例えばステンレスで形成されている。ピンチ取付部３２ａは、支柱３１ａの下方に接続されている。ここで、支柱３１ａの下方は、物干し器１の使用時に支柱３１ａに対して干し物が吊下げられる側を指す。ピンチ取付部３２ａは、支柱３１ａとほぼ同じ幅の円柱形状の部材で形成されている。この円柱形状の部材は、例えばステンレスで形成されている。ピンチ取付部３２ａは、下方に突出する複数の突出部３２０ａと直線形状の複数の接続部３２１ａとを有している。突出部３２０ａと接続部３２１ａとは、交互に設けられている。接続部３２１ａは、支柱３１ａに接続される部分である。突出部３２０ａと接続部３２１ａとは交互に設けられている。図４（ｂ）及び図４（ｃ）に示すように、ピンチ部材３３は、突出部３２０ａ及び支柱３１ａによって囲まれる空間を利用して突出部３２０ａに取り付けられている。
【００２５】
図１に戻って、複数のピンチ取付部３２ａにおいて突出部３２０ａが形成されている位置は異なっている。外側から数えて奇数番目のピンチ取付部３２ａ同士では、突出部３２０ａが設けられた位置が同じになっており、偶数番目のピンチ取付部３２ａ同士では、突出部３２０ａが設けられた位置が同じになっている。しかしながら、物干し器１の右側面側から見て、偶数番目のピンチ取付部３２ａに設けられた突出部３２０ａは、奇数番目のピンチ取付部３２ａの接続部３２１ａが設けられた位置に設けられている。このように、奇数番目のピンチ取付部３２ａに設けられた突出部３２０ａは、偶数番目のピンチ取付部３２ａに設けられた突出部３２０ａとは、千鳥状に配置されている。これにより、第１物干し部３ａに干し物を干したときに干し物同士が重なりにくくなり、物干し器１の乾燥効率が向上するようになっている。
【００２６】
また、ピンチ取付部３２ａの両端には、干し物吊下げ部３２２ａが形成されている。干し物吊下げ部３２２ａは、ピンチ取付部３２ａの両端を支柱３１ａ側に向かって折り曲げられた鉤爪状に形成されている。干し物吊下げ部３２２ａの先端（すなわちピンチ取付部３２ａの先端）と支柱３１ａとの間には隙間が設けられている。紐状の部位を有する干し物（例えば給食袋や紐付き布巾など）の紐状部分をこの隙間から通して干し物吊下げ部３２２ａに吊下げることにより第１物干し部３に干し物を干すことができる。
【００２７】
第１物干し部３ｂは、支持部７を対称軸として第２物干し部３ａに対して線対称の形状を有している。詳細な説明は省略するが、第１物干し部３ｂは、枠体２ｂに形成された複数の支柱３１ｂと支柱３１ｂの下方に形成されたピンチ取付部３２ｂとを有している。ピンチ取付部３２ｂは、突出部３２０ｂ、接続部３２１ｂ及び干し物吊下げ部３２２ｂを有している。支柱３１ｂは支柱３１ａと同一の形状を有し、ピンチ取付部３２ｂはピンチ取付部３２ａと同一の形状を有している。複数の支柱３１ｂ及び複数のピンチ取付部３２ｂは、支持部７を対称軸として複数の支柱３１ａ及び複数のピンチ取付部３２ａと線対称となるように枠体２ｂに接続されている。また、突出部３２０ｂ、接続部３２１ｂ及び干し物吊下げ部３２２ｂは、支持部７を対称軸として突出部３２０ａ、接続部３２１ａ及び干し物吊下げ部３２２ａと線対称となるようにピンチ取付部３２ｂに形成されている。
【００２８】
第２物干し部５は、支持部７を挟んで枠体２ａ側の領域と枠体２ｂ側の領域に分けられている。以下、枠体２ａ側の領域の第２物干し部を「第２物干し部５ａ」と称し、枠体２ｂ側の領域の第２物干し部を「第２物干し部５ｂ」と称し、第２物干し部５ａ及び第２物干し部５ｂを区別することなく説明する場合には「第２物干し部５」と総称する。また、第２物干し部５ａは、枠体２ａの各辺毎に分離して設けられており、各辺に設けられた第２物干し部毎に「第２物干し部５ａ−１」、「第２物干し部５ａ−２」及び「第２物干し部５ａ−３」と区別して称する場合がある。さらに、第２物干し部５ｂは、枠体２ｂの各辺毎に分離して設けられており、各辺に設けられた第２物干し部毎に「第２物干し部５ｂ−１」、「第２物干し部５ｂ−２」及び「第２物干し部５ｂ−３」と区別して称する場合がある。
【００２９】
第２物干し部５ａ−１は、円柱形状の部材を所定形状に折り曲げて形成されている。この円柱形状の部材は、例えばステンレスで形成されている。第２物干し部５ａ−１は、枠体２ａの幅よりも若干短い幅を有している。第２物干し部５ａ−１は、枠体２ａの一の辺の下方に配置されて一の辺にほぼ平行な直線形状に形成された棒状部５１ａ−１と、枠体２ａの一の辺に接続された接続部５２ａ−１と、一端部に形成された干し物吊下げ部５３ａ−１とを有している。棒状部５１ａ−１は、枠体２ａの一の辺と所定の間隙を設けて配置されている。第２物干し部５ａ−１は、接続部５２ａ−１によって枠体２ａの一の辺に固定されている。干し物吊下げ部５３ａ−１は、干し物吊下げ部３２２ａと同じ形状を有している。これにより、第２物干し部５ａ−１は干し物吊下げ部５３ａ−１を用いて紐状の部位を有する干し物を干すことができる。第２物干し部５ａ−１の他端部は球形状に形成されている。
【００３０】
第２物干し部５ａ−２は、第２物干し部５ａ−１とほぼ同じ幅の円柱形状の部材を所定形状に折り曲げて形成されている。この円柱形状の部材は、例えばステンレスで形成されている。第２物干し部５ａ−２は、枠体２ａの幅よりも若干短い幅を有している。第２物干し部５ａ−２は、枠体２ａの二の辺の下方に配置されて二の辺にほぼ平行な直線形状に形成された棒状部５１ａ−２と、枠体２ａの二の辺に接続された接続部５２ａ−２と、両端部にそれぞれ形成された干し物吊下げ部５３ａ−２とを有している。棒状部５１ａ−２は、枠体２ａの二の辺と所定の間隙を設けて配置されている。棒状部５１ａ−２と枠体２ａの二の辺との間隙は、棒状部５１ａ−１と枠体２ａの一の辺との間隙とほぼ同じ長さを有している。接続部５２ａ−２は両端部側にそれぞれ形成されている。第２物干し部５ａ−２は、２つの接続部５２ａ−２によって枠体２ａの二の辺に固定されている。干し物吊下げ部５３ａ−２は、干し物吊下げ部３２２ａと同じ形状を有している。これにより、第２物干し部５ａ−２は干し物吊下げ部５３ａ−２を用いて紐状の部位を有する干し物を干すことができる。
【００３１】
第２物干し部５ａ−３は、円柱形状の部材を所定形状に折り曲げて形成されている。この円柱形状の部材は、例えばステンレスで形成されている。第２物干し部５ａ−３は、枠体２ａの幅よりも若干短い幅を有している。第２物干し部５ａ−３は、枠体２ａの三の辺の下方に配置されて三の辺にほぼ平行な直線形状に形成された棒状部５１ａ−３と、枠体２ａの三の辺に接続された接続部５２ａ−３と、一端部に形成された干し物吊下げ部５３ａ−３とを有している。棒状部５１ａ−３は、枠体２ａの三の辺と所定の間隙を設けて配置されている。棒状部５１ａ−３と枠体２ａの三の辺との間隙は、棒状部５１ａ−１と枠体２ａの一の辺との間隙とほぼ同じ長さを有している。第２物干し部５ａ−３は、接続部５２ａ−３によって枠体２ａの三の辺に固定されている。第２物干し部５ａ−３に設けられた干し物吊下げ部５３ａ−３は、干し物吊下げ部３２２ａと同じ形状を有している。これにより、第２物干し部５ａ−３は干し物吊下げ部５３ａ−３を用いて紐状の部位を有する干し物を干すことができる。第２物干し部５ａ−３の他端部は球形状に形成されている。
【００３２】
第２物干し部５ｂ−１は、円柱形状の部材を所定形状に折り曲げて形成されている。この円柱形状の部材は、例えばステンレスで形成されている。第２物干し部５ｂ−１は、枠体２ｂの幅よりも若干短い幅を有している。第２物干し部５ｂ−１は、第２物干し部５ａ−１とほぼ同じ幅を有している。第２物干し部５ｂ−１は、枠体２ｂの一の辺の下方に配置されて一の辺にほぼ平行な直線形状に形成された棒状部５１ｂ−１と、枠体２ｂの一の辺に接続された接続部５２ｂ−１と、一端部に形成された干し物吊下げ部５３ｂ−１とを有している。棒状部５１ｂ−１は、枠体２ｂの一の辺との所定の間隙を設けて配置されている。第２物干し部５ｂ−１は、接続部５２ｂ−１によって枠体２ｂの一の辺に固定されている。干し物吊下げ部５３ｂ−１は、干し物吊下げ部３２２ａと同じ形状を有している。これにより、第２物干し部５ｂ−１は干し物吊下げ部５３ｂ−１を用いて紐状の部位を有する干し物を干すことができる。第２物干し部５ｂ−１の他端部は球形状に形成されている。
【００３３】
第２物干し部５ｂ−２は、第２物干し部５ｂ−１とほぼ同じ幅の円柱形状の部材を所定形状に折り曲げて形成されている。この円柱形状の部材は、例えばステンレスで形成されている。第２物干し部５ｂ−２は、枠体２ｂの幅よりも若干短い幅を有している。第２物干し部５ｂ−２は、枠体２ｂの二の辺の下方に配置されて二の辺にほぼ平行な直線形状に形成された棒状部５１ｂ−２と、枠体２ｂの二の辺に接続された接続部５２ｂ−２と、両端部にそれぞれ形成された干し物吊下げ部５３ｂ−２とを有している。棒状部５１ｂ−２は、枠体２ｂの二の辺と所定の間隙を設けて配置されている。棒状部５１ｂ−２と枠体２ｂの二の辺との間隙は、棒状部５１ｂ−１と枠体２ｂの一の辺との間隙とほぼ同じ長さを有している。接続部５２ｂ−２は両端部側にそれぞれ形成されている。第２物干し部５ｂ−２は、２つの接続部５２ｂ−２によって枠体２ｂの二の辺に固定されている。干し物吊下げ部５３ｂ−２は、干し物吊下げ部３２２ａと同じ形状を有している。これにより、第２物干し部５ｂ−２は干し物吊下げ部５３ｂ−２を用いて紐状の部位を有する干し物を干すことができる。
【００３４】
第２物干し部５ｂ−３は、円柱形状の部材を所定形状に折り曲げて形成されている。この円柱形状の部材は、例えばステンレスで形成されている。第２物干し部５ｂ−３は、枠体２ｂの幅よりも若干短い幅を有している。第２物干し部５ｂ−３は、枠体２ｂの三の辺の下方に配置されて三の辺にほぼ平行な直線形状に形成された棒状部５１ｂ−３と、枠体２ｂの三の辺に接続された接続部５２ｂ−３と、一端部に形成された干し物吊下げ部５３ｂ−３とを有している。棒状部５１ｂ−３は、枠体２ｂの三の辺と所定の間隙を設けて配置されている。棒状部５１ｂ−３と枠体２ｂの三の辺との間隙は、棒状部５１ｂ−１と枠体２ｂの一の辺との間隙とほぼ同じ長さを有している。第２物干し部５ｂ−３は、接続部５２ｂ−３によって枠体２ｂの三の辺に固定されている。第２物干し部５ｂ−３に設けられた干し物吊下げ部５３ｂ−３は、干し物吊下げ部３２２ａと同じ形状を有している。これにより、第２物干し部５ａ−３は干し物吊下げ部５３ｂ−３を用いて紐状の部位を有する干し物を干すことができる。第２物干し部５ｂ−３の他端部は球形状に形成されている。
【００３５】
第２物干し部５は、棒状部を有し、この棒状部に干し物を引っ掛けた状態で干すことができる。棒状部５１ａ−１〜５１ａ−３及び棒状部５１ｂ−１〜５１ｂ−３は、第１物干し部３を囲んで設けられている。また、棒状部５１ａ−１〜５１ａ−３は、枠体２ａの各辺とほぼ同じ長さを有している。棒状部５１ｂ−１〜５１ｂ−３は、枠体２ｂの各辺とほぼ同じ長さを有している。このため、例えばタオルなどの干し物が第２物干し部５の棒状部に引っ掛けられた状態で干されると、この干し物が第１物干し部３の周囲を囲む。これにより、第１物干し部３に干された干し物は、第２物干し部５に干された干し物に囲まれるので、人に見られにくくなる。棒状部は、枠体２の角部の下方には設けられていない。しかしながら、物干し器１は、枠体２の角部の下方に干し物吊下げ部を有している。このため、干し物吊下げ部に干し物を吊下げることにより、枠体２の角部から第１物干し部３に干された干し物が見えにくくなる。また、棒状部５１ａ−１と棒状部５１ｂ−１との間や棒状部５３ａ−１と棒状部５３ｂ−１との間には、支持部７の幅とほぼ同じ長さの間隙が設けれられている。物干し器１は、棒状部５１ａ−１と棒状部５１ｂ−１との間や棒状部５３ａ−１と棒状部５３ｂ−１との間に間隙が設けられているが、棒状部５１ａ−１と棒状部５１ｂ−１とに跨らせて干し物を干し、棒状部５３ａ−１と棒状部５３ｂ−１に跨らせて干し物を干すことにより、これらの間隙から第１物干し部３に干されている干し物を見ることができなくなる。
【００３６】
支持部７は、後述する保持補助部８を除いて物干し器１の各部品が接続される、物干し器１の中心的な部品である。支持部７は、細長い円柱形状の部材を所定の環状に形成された第１支持部品７１ａ及び第２支持部品７１ｂを有している。この円柱形状の部材は、例えばステンレスで形成されている。図１、図３及び図４に示すように、第１支持部品７１ａは、枠体２ａ側に配置され、第２支持部品７１ｂは、枠体２ｂ側に配置されている。第１支持部品７１ａ及び第２支持部品７１ｂは、ほぼ同じ形状に形成され、向い合せると一部が接触し一部が所定の間隙で対向配置するようになっている。第１支持部品７１ａ及び第２支持部品７１ｂは、この接触する部位を例えば溶接することにより互いに固定される。第１支持部品７１ａ及び第２支持部品７１ｂが互いに遠ざかり始める部位には、ワッシャ７２が例えば溶接されている。ワッシャ７２は例えばステンレスで形成されている。
【００３７】
枠体２は、ワッシャ７２が接続された位置で支持部７に回転可能に取り付けられている。ワッシャ７２と、ネジ７５及びナット７６とによって枠体２を折り畳むための折り畳み部２５が構成される。ワッシャ７２、枠体２ｂの端部に形成された巻き回し部及び枠体２ａの端部に形成された巻き回し部がこの順に配置される。ネジ７５は、枠体２ａ側からこれらの巻き回し部とワッシャ７２に設けられた孔部（不図示）に挿入され、ワッシャ７２側に配置されたナット７６にネジ止めされる。ナット７６は例えばステンレスで形成されている。ネジ７５の先端部はナット７６に例えば溶接されて固定される。これにより、枠体２はネジ７５を回転軸として支持部７に対して回転可能に接続される。また、ネジ７５の先端部はナット７６に固定されているため、枠体２を開状態及び折り畳み状態に可逆的に変更したとしても、ネジ７５がナット７６から外れてしまうことはほとんどない。
【００３８】
枠体２ａの両端部には、直線形状の突き当て部２３ａが接続されている。突き当て部２３ａは、枠体２ａの太さよりも若干細い太さの円柱形状の部材で形成されている。この円柱形状の部材は、例えばステンレスで形成されている。枠体２ｂの両端部には、直線形状の突き当て部２３ｂが接続されている。突き当て部２３ｂは、枠体２ｂの太さよりも若干細い太さの円柱形状の部材で形成されている。この円柱形状の部材は、例えばステンレスで形成されている。枠体２を開状態としたときに、突き当て部２３ａの先端と突き当て部２３ｂの先端とが突き当たるようになっている。突き当て部２３ａの先端と突き立て部２３ｂの先端とが突き当たると、枠体２ａ及び枠体２ｂは、互いに近付く方向に回転できなくなり、同一平面内に保持される。これにより、枠体２ａ及び枠体２ｂは、開状態にあるときに平坦な形状となる。
【００３９】
枠体２ａ及び枠体２ｂは、それぞれの両端部で支持部７に取り付けられているため、折り畳み部２５は、支持部７の２箇所に設けられている。支持部７は、２つの折り畳み部２５の一方の上方に配置された軸部７４を有している。軸部７４は、第１支持部品７１ａと第２支持部品７１ｂとの間に張り渡して形成されている。
【００４０】
物干し器１は、支持部７側に倒した状態と折り畳み部２５上に立ち上げた状態とを可逆的に変更可能に軸部７４を回転軸として支持部７に取り付けられた第１保持部４を有している。第１保持部４は、第２物干し部５ａの棒状部５１ａ−１及び第２物干し部５ｂの棒状部５１ｂ−１の上方に設けられ、干し物を干す物干し場所に第１及び第２物干し部３，５を保持するようになっている。詳細は後述するが、第１保持部４は、物干し器１を屋内の扉に引っ掛ける扉掛け部としての機能を発揮するようになっている。つまり、第１保持部４を用いて第１及び第２干し物部２，３（すなわち物干し器１）を干す物干し場所は、屋内の扉近傍となる。第１保持部４と支持部７との間には、回転防止部４４が設けられており、第１保持部４が枠体２の外側に倒れるのを防止するようになっている。
【００４１】
物干し器１は、第１及び第２物干し部３，５を物干し竿などの物干し部材（不図示）に保持する複数の第２保持部を有している。第２保持部は、支持部７のほぼ中央に回転自在に設けられて第１及び第２物干し部３，５を物干し部材に保持する主保持部６を有している。また、第２保持部は、枠体２上に倒した状態と立ち上げた状態とを可逆的に変更可能に枠体２に取り付けられ、物干し部材に保持された第１及び第２物干し部３，５の保持状態を補助する保持補助部８を有している。
【００４２】
主保持部６は、支持部７のほぼ中央に配置されている。枠体２を含む平面の法線方向に見て、主保持部６は、枠体２の中心に配置されている。これにより、干し物が干されていない状態の物干し器１を主保持部６を用いて物干し部材に保持すると、物干し器１はいずれかの方向に傾かずに物干し部材に保持される。主保持部６の詳細な構成については後述する。
【００４３】
保持補助部８は、枠体２ａ側及び枠体２ｂ側のそれぞれに設けられている。以下、枠体２ａ側に設けられた保持補助部を「保持補助部８ａ」と称し、枠体２ｂ側に設けられた保持補助部を「保持補助部８ｂ」と称し、保持補助部８ａ及び保持補助部８ｂを区別することなく説明する場合には「保持補助部８」と総称する。保持補助部８ａは、細長い円柱形状の部材で形成されている。この円柱形状の部材は、例えばステンレスで形成されている。保持補助部８ａは、物干し部材に引っ掛けるフック部８１ａと、両端部を折り返して形成された折り返し部８２ａとを有している。フック部８１ａは、物干し部材に引っ掛かる形状に形成されている。本実施形態では、物干し部材として例えば物干し竿が想定されている。このため、フック部８１ａは、一般的な円柱形状の物干し竿の外形に沿うように曲線状に湾曲した形状を有している。
【００４４】
枠体２ａの角部近傍には、円柱形状の部材を折り曲げて形成した突出部２１ａが固定されている。保持補助部８ａは、枠体２ａと突出部２１ａとに囲まれて形成された孔部に折り返し部８２ａを引っ掛けて枠体２ａに取り付けられている。この孔部の大きさは保持補助部８ａの幅よりも大きいため、折り返し部８２ａはこの孔部の内部で回転できる。このように、保持補助部８ａは、枠体２ａ側に倒れた状態と枠体２ａ上に立ち上がった状態とを可逆的に変更可能に枠体２に取り付けられている。
【００４５】
保持補助部８ｂは、保持補助部８ａと同じ形状を有している。保持補助部８ｂは、細長い円柱形状の部材で形成されている。この円柱形状の部材は、例えばステンレスで形成されている。保持補助部８ｂは、物干し部材に引っ掛けるフック部８１ｂと、両端部を折り返して形成された折り返し部８２ｂとを有している。フック部８１ｂは、物干し部材に引っ掛かる形状に形成されている。本実施形態では、物干し部材として例えば物干し竿が想定されている。このため、フック部８１ｂは、一般的な円柱形状の物干し竿の外形に沿うように曲線状に湾曲した形状を有している。
【００４６】
枠体２ｂの角部近傍には、円柱形状の部材を折り曲げて形成した突出部２１ｂが固定されている。保持補助部８ｂは、枠体２ｂと突出部２１ｂとに囲まれて形成された孔部に折り返し部８２ｂを引っ掛けて枠体２ｂに取り付けられている。この孔部の大きさは保持補助部８ｂの幅よりも大きいため、折り返し部８２ｂはこの孔部の内部で回転できる。このように、保持補助部８ｂは、枠体２ｂ側に倒れた状態と枠体２ｂ上に立ち上がった状態とを可逆的に変更可能に枠体２に取り付けられている。
【００４７】
複数の第２保持部は、一直線上に配置されている。より具体的には、保持補助部８を立ち上げると、主保持部６と保持補助部８とは一直線上に配置される。すなわち、図３（ｃ）及び図４（ｃ）に示すように、主保持部６のフック部６１（詳細は後述）と、保持補助部８ａのフック部８１ａと、保持補助部８ｂのフック部８１ｂ（図３（ｃ）及び図４（ｃ）では不図示）とは、物干し部材が伸びる方向に対して一直線上に配置される。このため、物干し器１は、直線状の物干し部材に複数の第２保持部によって保持される。これにより、物干し器１に干された干し物が風を受けることにより枠体２が主保持部６を回転軸として回転しようとしても、保持補助部８ａ，８ｂが枠体２の回転を防止できる。また、物干し器１は、複数の第２保持部によって物干し部材に保持されるので、干し物からの加重を主保持部６に集中させずに主保持部６及び保持補助部８ａ，８ｂに分散させることができる。
【００４８】
物干し器１は、複数の第２保持部（主保持部６及び保持補助部８）とは反対側に設けられて第１及び第２物干し部３，５を収納場所に保持する第３保持部９を有している。第３保持部９は、枠体２を挟んで主保持部６とは反対側に向かって突出して形成されている。第３保持部９は、折り畳み状態の枠体２を収納場所に保持するようになっている。第３保持部９は、第１支持部品７１ａ及び第２支持部品７１ｂを主保持部６とは反対側に突出するように折り曲げて形成されている。第１支持部品７１ａ及び第２支持部品７１ｂは、環状に形成されており、第３保持部９は第１支持部品７１ａ及び第２支持部品７１ｂの一部であるため、第３保持部９の内側には空間が形成される。このため、例えば収納場所の壁面に設けられたフックなどを第３保持部９のこの空間に引っ掛けることにより物干し器１を収納場所に収納できる。
【００４９】
図２に示すように、物干し器１は、主保持部６が設けられている側の支持部７を枠体２ａ及び枠体２ｂによって挟むように折り畳まれる。このため、物干し器１を折り畳むと、第３保持部９は枠体２の外側に配置される。これにより、使用者は、第３保持部９を収納場所に設けられたフックなどに容易に引っ掛けることが可能になる。物干し器１は、保持補助部８を枠体２側に倒した状態で折り畳まれるため、物干し器１を折り畳んだ状態では、保持補助部８は枠体２ａ及び枠体２ｂによって挟まれる。このため、第３保持部９を用いて物干し器１を収納している際に、保持補助部８が立ち上がってしまうのを防止できる。
【００５０】
また、物干し器１を折り畳むと、ピンチ取付部３２ａの突出部３２０ａとピンチ取付部３２ｂの突出部３２０ｂとは互いに反対向きに外側に向かって突出する。このため、ピンチ部材３３（図２では不図示）は、物干し器１を折り畳んだ状態では、枠体２の外側で突出部３２０ａ，３２０ｂにぶら下がった状態となる。図４に示すように、ピンチ部材３３は、洗濯ばさみに類似した構成を有している。ピンチ部材３３は、干し物を挟持する一対の挟持部と、一対の挟持部に干し物を挟持する力を付与する弾性部材とを有している。弾性部材は一部を切断した円環状を有している。一対の挟持部は弾性部材の切断部に挟まれている。これにより、弾性部材は一対の挟持部に固定される。ピンチ部材３３は、弾性部材に取り付けらた紐状部材を突出部３２０ａ，３２０ｂに取り付けることにより、ピンチ取り付け部３２ａ，３２ｂに取り付けられている。このため、図４（ｂ）及び図４（ｃ）に示すように、ピンチ部材３３は、物干し器１の使用時に、干し物を挟持する側を鉛直下方に向けてピンチ取り付け部３２ａ，３２ｂにぶら下がった状態で保持される。
【００５１】
つぎに、第１保持部４及び第２保持部の１つである主保持部６の構成について図６及び図７を用いて説明する。図６及び図７は、支持部７を抜き出して第１保持部４及び第２保持部の近傍を示す図である。図６は、物干し器１の使用状態を示し、図７は、物干し器１の収納状態を示している。
【００５２】
図６及び図７に示すように、第１保持部４は、薄板形状の部材を所定の形状に折り曲げて形成されている。この薄板形状の部材は、例えばステンレスで形成されている。第１保持部４は、一端部に形成されて物干し場所に引っ掛ける鉤爪部４１と、他端部に形成されて軸部７４に巻き回された巻き回し部４２とを有している。本実施形態では、第１保持部４が引っ掛けられる物干し場所は屋内の扉が想定されている。このため、鉤爪部４１は扉の形状に倣うように形成されている。すなわち、鉤爪部４１は上面が平坦形状になるように折り曲げられている。また、第１保持部４は、鉤爪部４１と巻き回し部４２との間も平坦形状に形成されている。これにより、第１保持部４は、扉の外形に沿うように扉に引っ掛かる。
【００５３】
巻き回し部４２は、軸部７４を回転軸として回転可能な回転可能領域４２ａと、軸部７４を回転軸として回転できない回転不可能領域４２ｂとを備えている。回転可能領域４２ａは、軸部７４が配置される内側の空間が円筒形状に形成されている。回転不可能領域４２ｂは、軸部７４が配置される内側の空間が直方体形状に形成されている。回転可能領域４２ａの内側の空間と回転不可能領域４２ｂの内側の空間とは連通している。
【００５４】
軸部７４は、円柱形状の円柱状部材７４ａ，７４ｂを有している。円柱状部材７４ａ及び円柱状部材７４ｂは、第１支持部品７１ａ及び第２支持部品７１ｂ（図６及び図７では、第２支持部品７１ｂは不図示）の間に並べて配置されている。回転可能領域４２ａの内側の空間の直径は、円柱状部材７４ａの直径と円柱状部材７４ｂの直径とをあわせた長さよりも長く形成されている。このため、第１保持部４は、回転可能領域４２ａに軸部７４が配置されていると、軸部７４を回転軸として回転でき、立上った状態（図６参照）と支持部７側に倒れた状態（図７参照）とを可逆的に変更できる。一方、回転不可能領域４２ｂの内側の空間の短辺は、円柱状部材７４ａ及び円柱状部材７４ｂのそれぞれの直径よりも短く、円柱状部材７４ａ及び円柱状部材７４ｂのそれぞれの直径をあわせた長さよりも短く形成されている。このため、第１保持部４は、回転不可能領域４２ｂに軸部７４が配置されると回転できなくなり、立上った状態で保持される。
【００５５】
第１保持部４を支持部７側に倒れた状態から立上った状態に移行すると、第１保持部４は自重により枠体２側に移動する。このため、軸部７４は回転不可能領域４２ｂに配置され、第１保持部４は立上った状態で保持される。このように、第１保持部４は自立できるので、第１保持部４を扉に引っ掛ける際に第１保持部４が支持部７側に倒れなくなり、使用者は物干し器１を扉に容易に取り付けることができる。また、第１保持部４の厚さは、扉を閉めたときに扉とこの扉が取り付けられた壁との間の隙間よりも薄く形成されている。さらに、鉤爪部４１の上面が平坦状に形成されている。このため、扉は、第１保持部４を引っ掛けた状態で閉じることができる。
【００５６】
第１保持部４は、２つの折り畳み部２５（図１参照）の一方の上方に配置されており、長方形状の枠体２の１つの辺側に偏って配置されている。このため、第１保持部４を用いて物干し器１を扉に取り付けると、枠体２や第１及び第２物干し部３，５に干されている干し物の重量によって、鉤爪部４１を支点とし折り畳み部２５の他方側の枠体２の一辺が枠体２の下方に位置する扉側に向かう回転力を受ける。物干し器１は、第１保持部４の下方に第２物干し部５ａ−１及び第２物干し部５ｂ−１を有している（図１参照）。第２物干し部５ａ−１，５ｂ−１は、直線形状の棒状部５１ａ−１，５１ｂ−１を有している。このため、枠体２が扉側に向かう回転力を受けたとしても、棒状部５１ａ−１，５１ｂ−１が扉側に「線」で接触して枠体２が回転するのを防止する。これにより、第１及び第２物干し部３，５に干されている干し物が扉に接触するのが防止される。このように、第２物干し部５ａ−１，５ｂ−１は、干し物を干す機能だけでなく、枠体２の回転範囲を抑制して干し物が扉に接触するのを防止する機能も発揮するようになっている。
【００５７】
物干し器１を扉に保持する場合には、物干し器１は、第２物干し部５ａ−１及び第２物干し部５ｂ−１には干し物を干さずに使用される。第２物干し部５ａ−１及び第２物干し部５ｂ−１に干し物が干されていなくても扉側から第１物干し部３に吊るされた干し物は見えないため、物干し器１は第１物干し部３に吊るされた干し物を人から見えにくくすることができる。
【００５８】
図６に示すように、鉤爪部４１と巻き回し部４２との間の平坦部であって、鉤爪部４１の上面が伸びる方向とは反対側の平坦部の面には、回転防止部４４が取り付けられている。回転防止部４４は、軸部７４が回転可能領域４２ａに配置されているときに、第１保持部４が立上った状態から支持部７とは反対側にさらに回転するのを防止するようになっている。回転防止部４４の一端部は、第１保持部４に取り付けられ、他端部は支持部７に取り付けられている。回転防止部４４は、細長い円柱形状の部材を長方形状の環状に形成した環状部４４ａと、両端部を折り返してフック状に形成したフック部４４ｂとを有している。この円柱形状の部材は、例えばステンレスで形成されている。フック部４４ｂの一端部は環状部４４ａの一端に引っ掛けられている。フック部４４ｂ一端部は、環状部４４ａを形成する円柱状の部材の幅よりもフック部４４ｂの直線部に近付くように折り曲げられている。このため、フック部４４ｂが環状部４４ａから外れないようになっている。また、フック部４４ｂの一端部を折り返して形成される空間部の大きさは、環状部４４ａを形成する円柱状の部材の断面積よりも広くなっている。なお、この断面積は、環状部４４ａが伸びる方向に対して直交する方向に環状部４４ａを切断した切断面の面積である。環状部４４ａは、フック部４４ｂに挿入されている部位を回転軸として回転できる。このため、回転防止部４４は、フック部４４ｂが環状部４４ａに引っ掛けられている部分で折り曲げることができる。
【００５９】
環状部４４ａの他端部は、第１保持部４に固定された突出部４３に取り付けられている。突出部４３は薄板形状の部材を中央部が突出するように折り曲げて形成されている。突出部４３の両端部は第１保持部４に例えば溶接されている。突出部４３と第１保持部４とで形成される空間は、環状部４４ａを形成する円柱状の部材の断面積よりも広くなっている。なお、この断面積は、環状部４４ａが伸びる方向に対して直交する方向に環状部４４ａを切断した切断面の面積である。このため、この空間内に配置された環状部４４ａは、第１保持部４に対して回転可能に取り付けられる。
【００６０】
支持部７は、ほぼ中央に設けられた座部６４（詳細は後述）の近傍に設けられた軸部（不図示）を有している。この軸部は、第１支持部品７１ａと第２支持部品７１ｂとの間に張り渡して形成されている。フック部４４ｂの他端部は、この軸部に引っ掛けられている。フック部４４ｂの他端部は、この軸部の幅よりもフック部４４ｂの直線部に先端が近付くように折り曲げられている。このため、フック部４４ｂはこの軸部から外れないようになっている。また、フック部４４ｂの他端部を折り返して形成される空間は、この軸部の断面積よりも広くなっている。なお、この断面積は、軸部が伸びる方向に対して直交する方向に軸部を切断した切断面の面積である。このため、回転防止部４４は、この軸部を中心軸として回転できる。
【００６１】
回転防止部４４は、フック部４４ｂが環状部４４ａに引っ掛かっている部分で折り曲げることができ、環状部４４ａが第１保持部４に対して回転でき、フック部４４ｂが支持部７の中央近傍に設けられた軸部に対して回転できる。これにより、回転防止部４４は、物干し器１の使用時には伸びた状態となり、枠体２の外側に向かって回転する第１保持部４の回転を防止する（図６参照）。一方、回転防止部４４は、物干し器１の収納時には、第３保持部９側に向かって折れ曲がった状態となり、第１保持部４を支持部７側に引き倒す（図７参照）。
【００６２】
図６に示すように、主保持部６は、支持部７の直線状部のほぼ中央に固定された座部６４に回転可能に取り付けられている。座部６４は、第１支持部品７１ａ及び第２支持部品７１ｂの側面を覆うように跨って配置されている。主保持部６は、細長い円柱形状の部材で形成されている。この円柱形状の部材は、例えばステンレスで形成されている。主保持部６は、一端側に形成されて物干し部材の外形状に倣う形状のフック部６１を有している。本実施形態では、物干し部材として例えば物干し竿が想定されている。このため、フック部６１は、一般的な円柱形状の物干し竿の外形に沿うように曲線状に湾曲した形状を有している。主保持部６の他端側は直線状に形成されて座部６４に支持されている。主保持部６は、直線状に形成された他端側を回転軸として支持部７に対して回転できるようになっている。
【００６３】
主保持部６は、フック部６１の開放端を封鎖して主保持部６が物干し部材から落下するのを防止する落下防止部６２を有している。落下防止部６２は、細長い円柱形状の部材で形成された長方形状の環状を有している。この円柱形状の部材は、例えばステンレスで形成されている。落下防止部６２の一端は、フック部６１の一端部を折り曲げて形成した折り曲げ部６１１に着脱可能に配置されている。折り曲げ部６１１は、落下防止部６２を形成する円柱状の部材の幅よりもフック部６１に先端が近付かないように折り曲げられている。このため、落下防止部６２は、折り曲げ部６１１の先端とフック部６１との間に設けられた隙間から折り曲げ部６１１に挿入されたり折り曲げ部６１１から取り外されたりできるようになっている。
【００６４】
落下防止部６２の他端は、落下防止取り付け部６３に取り付けられている。落下防止取り付け部６３は、座部６４に取り付けられている主保持部６の端部側に固定されている。主保持部６の他端側の直線状のほぼ中間部に平板部６５が固定されている。落下防止取り付け部６３は平板部６５及び主保持部６に固定されている。落下防止取り付け部６３は、細長い円柱形状の部材で形成されている。平板部６５に固定されていない側の落下防止取り付け部６３の端部は、折り曲げられて環状に形成されている。落下防止部６２の他端は、落下防止取り付け部６３のこの環状の内側の空間に挿入されている。また、見方を変えると、主保持部６及び落下防止取り付け部６３は、落下防止部６２の環状の内側の空間に挿入されていると見ることもできる。落下防止取り付け部６３のこの環状の内側の空間は、落下防止部６２を形成する円柱形状の部材の幅よりも十分に広い面積を有している。このため、落下防止部６２は、折り曲げ部６１１から取り外されるときにはこの空間内のフック部６１側に移動できるので、使用者は容易に落下防止部６２を折り曲げ部６１１から取り外すことができる。また、落下防止部６２を折り曲げ部６１１に取り付けると、落下防止部６２は、自重によって支持部７側に配置される。このため、落下防止部６２の一端側は、折り曲げ部６１１の隙間から遠ざかり、他端部は落下防止取り付け部６３の空間内の平板部６５側に寄る。これにより、落下防止部６２は、折り曲げ部６１１から極めて外れにくくなっているので、物干し器１の使用時に物干し器１が風などに煽られても、物干し器１が物干し部材から落下するを防止できる。
【００６５】
次に、物干し器１の使用態様について説明する。
まず、屋内の扉に物干し器１を保持する場合の物干し器１の使用態様について説明する。物干し器１の使用者は、枠体２を折り畳まれた状態から開状態に変更する。次に、支持部７側に倒れている第１保持部４を立ち上げる。このとき、支持部７に設けられた軸部７４は、第１保持部４に形成された巻き回し部４２の回転可能領域４２ａから回転不可能領域４２ｂ側に移動する。これにより、第１保持部４は立ち上った状態で自立する。使用者は、第３保持部９を持って物干し器１を持ち上げて第１保持部４の鉤爪部４１を扉に引っ掛ける。これにより、干し物を干す物干し場所に第１及び第２物干し部３，５を設置できる。このように、第３保持部９は、収納場所に物干し器１を保持するだけでなく、物干し器１を高所に設置する際の把持部としての機能も発揮するようになっている。
【００６６】
物干し器１を物干し場所、すなわち扉に設置したら、使用者はピンチ部材３３に干し物を吊下げる。また、使用者は、必要に応じて干し物吊下げ部５２ａ−２，５２ｂ−２に干し物を吊下げる。次に、第２物干し部５ａ−２，５ａ−３，５ｂ−２，５ｂ−３に干し物を干して、物干し作業が終了する。
【００６７】
その後干し物が乾燥したら、使用者は、第１及び第２物干し部３，５から干し物を取り外す。次に、使用者は、第３保持部９を掴んで物干し器１を上方に持ち上げて扉から物干し器１を取り外す。次に、使用者は、第１保持部４を若干持ち上げて軸部７４を回転可能領域４２ａに移動させてから、第１保持部４が第１支持部品７１ａ及び第２支持部品７１ｂの間に挟まるように支持部７側に倒す。次に、使用者は、枠体２を折り畳み、第３保持部９を用いて物干し器１を収納場所に収納する。
【００６８】
次に、物干し部材としての物干し竿に物干し器１を保持する場合の物干し器１の使用態様について説明する。物干し器１の使用者は、枠体２を折り畳まれた状態から開状態に変更する。次に、使用者は、落下防止部６２が折り曲げ部６１１から外れているか否かを確認し、落下防止部６２が折り曲げ部６１１から外れていない場合には、落下防止部６２を折り曲げ部６１１から外す。次に、使用者は、保持補助部８ａ，８ｂの少なくともいずれか一方を立ち上げ、立ち上げた保持補助部８ａ，８ｂのフック部８１ａ，８１ｂと同方向に向くように主保持部６のフック部６１の向きを調整する。次に、使用者は、第３保持部９を持って物干し器１を持ち上げて主保持部６のフック部６１及び立ち上げた保持補助部８ａ，８ｂのフック部８１ａ，８１ｂを物干し竿に引っ掛ける。次に、使用者は、落下防止部６２を物干し竿の下方から折り曲げ部６１１に引っ掛ける。これにより、フック部６１と落下防止部６２とで形成される枠内に物干し竿が挿入された状態となり、落下防止部６２が折り曲げ部６１１から外れない限り、物干し器１が物干し竿から落下しなくなる。こうして、第１及び第２物干し部３，５を物干し竿に設置できる。
【００６９】
物干し器１を物干し部材、すなわち物干し竿に設置したら、使用者はピンチ部材３３に干し物を吊下げる。また、作業者は、必要に応じて干し物吊下げ部５２ａ−２，５２ｂ−２に干し物を吊下げる。次いで、使用者は、第２物干し部５に干し物を干して、物干し作業が終了する。
【００７０】
その後干し物が乾燥したら、使用者は、第１及び第２物干し部３，５から干し物を取り外す。次に、使用者は、落下防止部６２を折り曲げ部６１１から取り外し、次いで第３保持部９を掴んで物干し器１を上方に持ち上げて物干し竿から物干し器１を取り外す。次に、使用者は、保持補助部８を枠体２側に倒す。次に、使用者は、枠体２を折り畳み、第３保持部９を用いて物干し器１を収納場所に収納する。
【００７１】
以上説明したように、本実施形態による物干し器１は、干し物が引っ掛けられた状態で干される第２物干し部５が第１物干し部３を囲んで設けられている。第２物干し部５には、タオルなどの平面を有する干し物を広げた状態で干すことができる。このため、第１物干し部３には、人に見られたくない干し物を干し、第２物干し部５には、タオルなどの干し物を広げた状態で干すことができる。これにより、物干し器１は、第１物干し部３に干している干し物を第２物干し部５に干している干し物によって囲むことができるので、第１物干し部３に干された干し物を人に見えにくい状態で干すことができる。
【００７２】
また、物干し器１は、第１保持部４と、第１保持部４の下方に設けられて棒状部５１ａ−１，５１ｂ−１を備えた第２保持部５ａ−１，５ｂ−１を有している。物干し器１は、第１保持部４を用いて第１及び第２物干し部３，５を物干し場所（例えば屋内の扉）に保持したときに、枠体２の自重や干し物の重量によって物干し場所に向かう回転力が枠体２に加わる。このとき、棒状部５１ａ−１，５１ｂ−１が物干し場所に接触して枠体２の回転を防止する。棒状部５１ａ−１，５１ｂ−１は、直線形状に形成されているので、物干し場所に「線」で接触する。このため、第２保持部５ａ−１，５ｂ−１は、枠体２が物干し場所に向かって回転する回転力に十分に対抗でき、枠体２の水平性が確保される。これにより、第１及び第２物干し部３，５に干されている干し物が扉に接触するのが防止される。このように、物干し器１に設けられた第２物干し部の全体のうちの一部であって第１保持部の下方に位置する第２物干し部が、少なくとも棒状部を有していればよい。
【００７３】
また、第１保持部４は、回転可能領域４２ａ及び回転不可能領域４２ｂを備えた巻き回し部４２を有している。第１保持部４は、軸部７４を回転可能領域４２ａに移動させることにより第１保持部４を支持部７側に倒した状態と立ち上げた状態とを可逆的に容易に変更されることができる。また、第１保持部４は、軸部７４を回転不可能領域４２ｂに移動させることにより立ち上った状態で自立できる。これにより、物干し器１は、第１保持部４を物干し場所（例えば屋内の扉）に容易に保持させることができる。
【００７４】
また、物干し器１は、第１及び第２物干し部３，５を物干し部材に保持する複数の第２保持部（主保持部６及び保持補助部８）を有している。これにより、物干し器１は、少なくとも２点で物干し部材に保持される。このため、物干し器１が例えば屋外の物干し竿に複数の第２保持部で保持されているときに、物干し器１に干している干し物が風などに煽られても、物干し器１は回転しない。これにより、物干し器１の隣に干している干し物に物干し器１が接触するのが防止されるので、物干し器１は、干し物の乾燥効率が向上する。
【００７５】
本考案は、上記実施形態に限らず種々の変形が可能である。
上記実施形態による物干し器１は、開状態のときに長方形状の枠体２を有しているが、本考案はこれに限られない。例えば、第１保持部４の下方に棒状部を備えた第２物干し部が少なくとも配置できる形状であれば、枠体２の形状は長方形状でなくてもよい。例えば、第１保持部４の下方の形状が直線状で、他の領域が曲線状に形成された枠体を有する物干し器であっても、上記実施形態による物干し器１と同様の効果が得られる。
【符号の説明】
【００７６】
１  物干し器
２，２ａ，２ｂ  枠体
３，３ａ，３ｂ  第１物干し部
４  第１保持部
５，５ａ−１，５ａ−２，５ａ−３，５ｂ−１，５ｂ−２，５ｂ−３  第２物干し部
６  主保持部
７  支持部
８，８ａ，８ｂ  保持補助部
９  第３保持部
２１ａ，２１ｂ、４３，３２０ａ，３２０ｂ  突出部
２３ａ，２３ｂ  突き当て部
２５  折り畳み部
３１ａ，３１ｂ  支柱
３２ａ，３２ｂ  ピンチ取付部
３３  ピンチ部材
４１  鉤爪部
４２  巻き回し部
４２ａ  回転可能領域
４２ｂ  回転不可能領域
４４  回転防止部
４４ａ  環状部
４４ｂ，６１，８１ａ，８１ｂ  フック部
５１ａ−１，５１ａ−２，５１ａ−３，５１ｂ−１，５１ｂ−２，５１ｂ−３  棒状部
５２ａ−１，５２ａ−２，５２ａ−３，５２ｂ−１，５２ｂ−２，５２ｂ−３，３２１ａ，３２１ｂ  接続部
５３ａ−１，５３ａ−２，５３ｂ−１，５３ｂ−２，５３ｂ−３，３２２ａ，３２２ｂ  干し物吊下げ部
６２  落下防止部
６３  落下防止取り付け部
６４  座部
６５  平板部
７１ａ第１支持部品
７１ｂ  第２支持部品
７２  ワッシャ
７４  軸部
７４ａ，７４ｂ  円柱状部材
７５  ネジ
７６  ナット
６１１  折り曲げ部
【図１】
0003194874.tif 000003
【図２】
0003194874.tif 000004
【図３】
0003194874.tif 000005
【図４】
0003194874.tif 000006
【図５】
0003194874.tif 000007
【図６】
0003194874.tif 000008
【図７】
0003194874.tif 000009